(57)【特許請求の範囲】
【請求項１】
複数台の室内機を実質的に一台のリモートコントローラを用いて一斉に運転制御するグループ制御を実施可能とし、上記各室内機が昇降可能な吸込グリルを備えた空気調和システムにおいて、
実質的に一台の上記リモートコントローラの操作により、上記各室内機の上記吸込グリルが、一斉にまたは個別に昇降可能に構成され、
同一のグループ制御がなされる全室内機は、同一のグループに属する少なくとも一台の上記室内機の吸込グリルが昇降動作されるときには、上記吸込グリルの昇降動作以外の運転が停止されるよう構成された
ことを特徴とする空気調和システム。
【請求項２】
同一のグループ制御がなされる上記室内機は、当該グループ制御に属する少なくとも一台の上記室内機の吸込グリルが昇降動作されるときには、複数台の上記室内機の運転を集中制御する集中制御装置から運転指令が送信された場合にも、上記吸込グリルの昇降動作以外の運転が停止されるよう構成されたことを特徴とする請求項１に記載の空気調和システム。
【請求項３】
同一のグループ制御に属する室内機に対し同一機能を実行させる親リモートコントローラと子リモートコントローラのいずれか一方の操作により、当該グループ制御に属する少なくとも一台の上記室内機の吸込グリルが昇降動作されるときには、上記親リモートコントローラと上記子リモートコントローラのいずれか他方により運転指令が送信されないように構成されて、当該グループ制御に属する上記室内機は、上記吸込グリルの昇降動作以外の運転が停止されるよう構成されたことを特徴とする請求項１または請求項２に記載の空気調和システム。
【請求項４】
上記リモートコントローラは、室内機の吸込グリルの昇降動作中に、いずれか一の操作ボタンが操作されることによって、上記吸込グリルの昇降動作を直ちに停止させるよう構成されたことを特徴とする請求項１乃至３のいずれかに記載の空気調和システム。
【請求項５】
上記リモートコントローラは、室内機の吸込グリルの昇降動作中に、特定の操作ボタンが操作されることにより、当該室内機の上記吸込グリルの昇降動作を停止させるとともに、当該室内機における上記吸込グリルの昇降動作以外の運転を実行させ得るよう構成されたことを特徴とする請求項１乃至４のいずれかに記載の空気調和システム。
【発明の詳細な説明】
【０００１】
【発明の属する技術分野】
本発明は、昇降可能な吸込グリルを備えた複数台の室内機を有する空気調和システムに関する。
【０００２】
【従来の技術】
空気調和装置には、天井開口部に取り付けられる室内機の化粧パネルに吸込グリルを設け、この吸込グリルにフィルタを設けた天井埋込型空気調和装置が知られている。この吸込グリルに設けられたフィルタを外して掃除することにより、空気調和装置の性能を十分に発揮させることができる。
【０００３】
更に、室内機の化粧パネルに収納された吸込グリルを天井から作業場所に下降させるために、吸込グリルを昇降させる昇降装置を化粧パネルに設置した天井埋込型空気調和装置も知られている。この昇降装置は、ドラムを正転又は逆転駆動する昇降用モータが化粧パネルに設置され、一端が吸込グリルに取り付けられた吊紐が上記ドラムに巻き回され、このドラムの回転により吸込グリルを昇降させるものである。
【０００４】
ところで、空気調和システムにおいては、一又は複数台の室外機と複数台の室内機とを有する一又は複数台の空気調和装置が、一台の集中制御装置により制御され、更に、複数台の室内機が一台のリモートコントローラにより一斉に同様に運転制御（グループ制御）可能に構成されたものがある。
【０００５】
このような空気調和システムにおいて、室内機のフィルタの清掃等を容易化するために、室内機の吸込グリルを上述の如く昇降可能としたものがある。この場合、吸込グリルの昇降が可能な室内機には、上記グループ制御用の上記リモートコントローラとは別の、吸込グリル昇降専用のリモートコントローラが各室内機毎に設置され、このリモートコントローラを用いて、吸込グリルの昇降が室内機毎個別に実施される。
【０００６】
【発明が解決しようとする課題】
しかしながら、上述のような空気調和システムでは、複数台の室内機を一斉に同様に運転制御するグループ制御用のリモートコントローラの他に、吸込グリルの昇降のみを実施させる吸込グリル昇降専用のリモートコントローラが、各室内機毎に必要となることから、吸込グリルの昇降作業が煩雑化し、更にリモートコントローラの個数も増大してしまう。
【０００７】
このため、リモートコントローラの送信波出力を落とし、室内機の受光部の感度（検知角度もしくは範囲）をにぶくして、室内機のほぼ真下でリモートコントローラを操作しなければ、室内機がリモートコントローラからの信号を受け付けないようにして、リモートコントローラを各室内機に対し共通に使用できるようにしたものもある。しかしながら、リモートコントローラの送信波出力を落とし、受光部の感度をにぶくしているため、その操作性が劣ることは否めなかった。
【０００８】
本発明は、上述の事情を考慮してなされたものであり、複数台の室内機における吸込グリルの昇降動作を容易に実施できる空気調和システムを提供することにある。
【０００９】
【課題を解決するための手段】
請求項１に記載の発明は、複数台の室内機を実質的に一台のリモートコントローラを用いて一斉に運転制御するグループ制御を実施可能とし、上記各室内機が昇降可能な吸込グリルを備えた空気調和システムにおいて、実質的に一台の上記リモートコントローラの操作により、上記各室内機の上記吸込グリルが、一斉にまたは個別に昇降可能に構成され、同一のグループ制御がなされる全室内機は、同一のグループに属する少なくとも一台の上記室内機の吸込グリルが昇降動作されるときには、上記吸込グリルの昇降動作以外の運転が停止されるよう構成されたことを特徴とするものである。
【００１０】
請求項２に記載の発明は、請求項１記載の発明において、同一のグループ制御がなされる上記室内機は、当該グループ制御に属する少なくとも一台の上記室内機の吸込グリルが昇降動作されるときには、複数台の上記室内機の運転を集中制御する集中制御装置から運転指令が送信された場合にも、上記吸込グリルの昇降動作以外の運転が停止されるよう構成されたことを特徴とするものである。
【００１１】
請求項３に記載の発明は、請求項１または請求項２に記載の発明において、同一のグループ制御に属する室内機に対し同一機能を実行させる親リモートコントローラと子リモートコントローラのいずれか一方の操作により、当該グループ制御に属する少なくとも一台の上記室内機の吸込グリルが昇降動作されるときには、上記親リモートコントローラと上記子リモートコントローラのいずれか他方により運転指令が送信されないように構成されて、当該グループ制御に属する上記室内機は、上記吸込グリルの昇降動作以外の運転が停止されるよう構成されたことを特徴とするものである。
【００１２】
請求項４に記載の発明は、請求項１乃至３のいずれかに記載の発明において、上記リモートコントローラは、室内機の吸込グリルの昇降動作中に、いずれか一の操作ボタンが操作されることによって、上記吸込グリルの昇降動作を直ちに停止させるよう構成されたことを特徴とするものである。
【００１３】
請求項５に記載の発明は、請求項１乃至４のいずれかに記載の発明において、上記リモートコントローラは、室内機の吸込グリルの昇降動作中に、特定の操作ボタンが操作されることにより、当該室内機の上記吸込グリルの昇降動作を停止させるとともに、当該室内機における上記吸込グリルの昇降動作以外の運転を実行させ得るよう構成されたことを特徴とするものである。
【００１５】
請求項１乃至３に記載の発明には、次の作用がある。
【００１６】
グループ制御を実施可能とする実質的に一台のリモートコントローラの操作により、各室内機の吸込グリルが、一斉にまたは個別に昇降可能に構成されたことから、吸込グリルに装着されたフィルタを交換する必要がある室内機の吸込グリルを昇降させる場合にも、上述の実質的に一台のリモートコントローラを用いれば足り、他のリモートコントローラを必要としないので、複数台の室内機における吸込グリルの昇降動作を容易に実施できる。
【００１７】
しかも、吸込グリルを昇降させるためだけのリモートコントローラを各室内機毎に設置する必要がないので、リモートコントローラの個数を低減できる。
【００１９】
さらに同一のグループ制御がなされる全室内機は、同一のグループに属する少なくとも一台の上記室内機の吸込グリルが昇降動作されるときには、同一のグループに属する全ての室内機において上記吸込グリルの昇降動作以外の運転が停止されるされるよう構成されたことから、吸込グリルの昇降時に、同一のグループに属する全ての室内機において使用者の手などが室内機内部に巻き込まれる等の危険を確実に防止することができる。
【００２０】
請求項４に記載の発明には、次の作用がある。
【００２１】
リモートコントローラは、室内機の吸込グリルの昇降動作中に、いずれか一の操作ボタンが操作されることによって、上記吸込グリルの昇降動作を直ちに停止させるよう構成されたことから、吸込グリルの昇降動作の停止を特定の操作ボタンの操作ではなく、いずれか一の操作ボタンの操作によって実行できるので、吸込グリルの昇降動作に伴う不具合の発生を迅速に回避できる。
【００２２】
請求項５に記載の発明には、次の作用がある。
【００２３】
リモートコントローラは、室内機の吸込グリルの昇降動作中に、特定の操作ボタンが操作されることにより、当該室内機の上記吸込グリルの昇降動作を停止させるとともに、当該室内機における上記吸込グリルの昇降動作以外の運転を実行させ得るよう構成されたことから、空気調和システムの試運転時やメンテナンス時に、吸込グリルを下降させた状態で室内機を運転させることにより、当該室内機の運転状況を的確に判定することができる。
【００２４】
【発明の実施の形態】
以下、本発明の実施の形態を、図面に基づき説明する。
【００２５】
図１は、本発明に係る空気調和システムの一実施の形態を示す系統図である。
【００２６】
この図１に示す空気調和システム６０は、複数台、例えば三台の第１空気調和装置６１、第２空気調和装置６２及び第３空気調和装置６３を集中制御装置６４により集中制御すると共に、第１空気調和装置６１の複数台（例えば三台）の室内機６６と第２空気調和装置６２の複数台（例えば三台）の室内機６８とを、リモートコントローラ７１Ａ又は７１Ｂによりグループ制御可能とし、更に、第３空気調和装置６３の複数台（例えば三台）の室内機７０を、リモートコントローラ７２によりグループ制御可能とするよう構成されたものである。
【００２７】
ここで、上記グループ制御とは、実質的に一台のリモートコントローラ（つまり、一台のリモートコントローラ、又は後述の親リモートコントローラ及び子リモートコントローラの組み合わせにより構成されたリモートコントローラ）によって、複数台の室内機が一斉に同様に運転（起動又は停止を含む）制御される制御形態を言う。
【００２８】
上記第１空気調和装置６１は、一又は複数台（例えば一台）の室外機６５と三台の上記室内機６６とが、冷媒配管７３によって接続されて構成される。また、上記第２空気調和装置６２は、一又は複数台（例えば三台）の室外機６７と三台の上記室内機６８とが、冷媒配管７４によって接続されて構成される。更に、上記第３空気調和装置６３は、室外機６９と三台の上記室内機７０とが、冷媒配管７５によって接続されて構成される。
【００２９】
前記集中制御装置６４は、２線方式の通信線７６を用いて、室外機６９、６７、６５、それぞれ三台の室内機６６、６８及び７０に順次接続され、同一のグループ制御に属する室内機毎に、上記室外機６５、６７、６９、室内機６６、６８及び７０を集中制御する。つまり、集中制御装置６４は、同一のグループ制御が実施される第１空気調和装置６１の室外機６５及び室内機６６、並びに第２空気調和装置６２の室外機６７及び室外機６５の運転を一斉に同様に集中制御し、また、他の同一のグループ制御がなされる第３空気調和装置６３の室外機６９及び７０の運転を一斉に同様に集中制御する。
【００３０】
前記リモートコントローラ７１Ａ又は７１Ｂは、通信線７７を用いて、それぞれ三台の室内機６６及び６８に接続された所謂ワイヤードリモコンである。通信線７７の両側に、リモートコントローラ７１Ａと７１Ｂとがそれぞれ接続される。合計六台の室内機６６及び６８は、リモートコントローラ７１Ａ又は７１Ｂによりグループ制御される。つまり、リモートコントローラ７１Ａと７１Ｂのいずれか一方の操作により、合計六台の全ての室内機６６及び６８は、後述の吸込グリル８の昇降動作以外の通常の運転（起動及び停止を含む）が、一斉に同様に実施されるよう制御される。
【００３１】
これらのリモートコントローラ７１Ａと７１Ｂは、一方が親リモートコントローラであり、他方が子リモートコントローラである。子リモートコントローラは、合計六台の室内機６６及び６８の運転制御に関し、親リモートコントローラと実質的に同一の機能を果たすものである。
【００３２】
前記リモートコントローラ７２は、通信線７８を用いて三台の室内機７０に接続された所謂ワイヤードリモコンである。三台の室内機７０は、このリモートコントローラ７２によりグループ制御される。つまり、このリモートコントローラ７２の操作により、三台の全ての室内機７０は、後述の吸込グリル８の昇降動作以外の通常の運転（起動及び停止を含む）が、一斉に同様に実施されるよう制御される。
【００３３】
これらのリモートコントローラ７１Ａ、７１Ｂ及び７２は、図６に示すように、表示部７９と各種の操作ボタンを備える。例えば、リモートコントローラ７１Ａ又は７１Ｂの運転・停止ボタン８０の操作により、全ての第１空気調和装置６１及び第２空気調和装置６２が一斉に起動又は停止される。また、リモートコントローラ７１Ａ又は７１Ｂの運転切換ボタン８１の操作により、第１空気調和装置６１及び第２空気調和装置６２の冷房、暖房等の運転モードが一斉に切り換えられる。また、リモートコントローラ７１Ａ又は７１Ｂの設定温度上昇ボタン８２、設定温度下降ボタン８３のそれぞれの操作により、室内機６６及び６８の設定温度が一斉に上昇又は下降される。更に、リモートコントローラ７１Ａ又は７１Ｂのユニット選択ボタン８４の操作により、室内機６６、６８がアドレスコード、つまりユニットナンバー（Ｎｏ）を用いて選択され、このリモートコントローラ７１Ａ又は７１Ｂのスイング風向ボタン８５の操作により、上述のように選択された室内機６６、６８のフラップ（不図示）角度が調整されて風向きが制御される。
【００３４】
一方、リモートコントローラ７２の運転・停止ボタン８０、運転切換ボタン８１、設定温度上昇ボタン８２、設定温度下降ボタン８３、ユニット選択ボタン８４、スイング風向ボタン８５の操作によっても、リモートコントローラ７１Ａ又は７１Ｂの場合と同様に、各操作ボタンが有する機能が全て第３空気調和装置６３について実施される。
【００３５】
上記アドレスコードは、室内機６６のアドレスコードが図１の左側から順次「１−１」、「１−２」、「１−３」であり、室内機６８のアドレスコードが図１の左側から順次「２−１」、「２−２」、「２−３」であり、室内機７０のアドレスコードが図１の左側から順次「３−１」、「３−２」、「３−３」である。
【００３６】
また、リモートコントローラ７１Ａ又は７１Ｂの表示部７９に、第１空気調和装置６１及び第２空気調和装置６２の運転状態等が表示される。また、リモートコントローラ７２の表示部７９に、第３空気調和装置６３の運転状態等が表示される。
【００３７】
ところで、上述の室内機６６、６８及び７０は、図２に示すように構成され、図３に示すように昇降可能な吸込グリル８を備える。
【００３８】
つまり、室内機６６、６８及び７０は、図２に示すように、天井内部に収納される板金製のユニット本体２と、中央に空気吸込口３を、外周部の四辺に空気吹出口４を有し、天井穴５を塞ぐように天井面６に設けられる化粧パネル７と、この化粧パネル７の空気吸込口３を覆うように装着される吸込グリル８とにより構成されている。
【００３９】
上記ユニット本体２には、送風機１１、ノズル口１５、熱交換器２１及びドレンパン１６等が収納されている。
【００４０】
送風機１１は、天板１３に取り付けられたファン用モータ１４とターボファン１２とからなる。ノズル口１５は、空気吸込口３からの室内空気をダーボファン１２に案内する。ドレンパン１６は、内側立上がり部１７と外側立上がり部１８とを有し、角張った環形状に発泡スチロールで形成される。熱交換器２１は、ターボファン１２の吐出側に、このファンを取り囲むように環状に配置されたプレートフィン型熱交換器である。
【００４１】
尚、図１の符号２２は、ユニット本体２の周面に巻付けられた断熱材であり、符号２３は、前記熱交換器で熱交換された空気を空気吹出口４へ導く導風部であり、符号２４は、ユニット本体２を吊具で天井梁に吊下げるための吊下げボルトである。
【００４２】
また、吸込グリル８には、多数の桟により吸気口９が形成されるとともに、フィルタ２５が着脱自在に載置して装着されている。
【００４３】
天井面６に設けられる化粧パネル７の内側の対向する２辺には、図３〜図５に示すように、それぞれパネルガイド２６及び２７と、２８及び２９が取り付けられている。これらパネルガイドと、吸込グリル８の２辺に設けられたガイド（以下、後述の如くグリルプーリという）３１、３２、３３、３４には、それぞれ吊紐３５、３６、３７、３８が掛け渡され、これら４本の吊紐３５、３６、３７、３８によって吸込グリル８は化粧パネル７に支持される。これら４本の吊紐３５、３６、３７、３８は、樹脂ワイヤあるいは金属ワイヤの外周にビニールコーティングを施したもの等が使用される。
【００４４】
図４に示すように、吊紐３５、３６、３７、３８を介して吸込グリル８を昇降させるための駆動系５６は、ユニット本体２の開口部５７内に延在する支持板５８上にまとめて配置されている。この駆動系は５６は、昇降用モータ５３、ギヤ５４、５５、シャフト４０、クラッチ４６などから成る。
【００４５】
図５において、シャフト４０には、第１ドラム４１、第２ドラム４２及び第３ドラム４３が固定され、また第４ドラム４４が回転自在に配設され、更に固定部４５が固定して設けられている。このような第１ドラム４１と第２ドラム４２とを一対とした一組と、第３ドラム４３と第４ドラム４４とを一対とした他の一組とが、シャフト４０のそれぞれの端部に設けられている。この固定部４５と第４ドラム４４との間に、コイルスプリング４６とクラッチ板４７よりなるクラッチ４８が介装されている。クラッチ４８は、第４ドラム４４の側面にコイルスプリング４６のばね力にてクラッチ板４７を押しつけて、クラッチ板４７と第４ドラム４４の側面との摩擦力により、シャフト４０の回転力を第４ドラム４４に伝達する。ドラム４１、４２、４３、４４には、それぞれ吊紐３５、３６、３７、３８の端部が固定され、シャフト４０の回転とともに、吊紐３５、３６、３７、３８が繰り出されまたは巻き取られる。
【００４６】
第１ドラム４１、第２ドラム４２に一端が固定された吊紐３５、３６は、それぞれパネルガイド２６、２７を経てグリルプーリ３１、３２に掛け渡される。これらの吊紐３５、３６の他端は金具４９を介して連結されている。また、第３ドラム４３、第４ドラム４４に一端が固定された吊紐３７、３８は、それぞれパネルガイド２８、２９を経てグリルプーリ３３、３４に掛け渡され、それらの他端がそれぞれ金具５０を介して連結されている。
【００４７】
駆動系５６の昇降用モータ５３が正転すると、シャフト４０と共に、ドラム４１、４２、４３、４４が吊紐３５、３６、３７、３８を繰り出す方向に回転し、これにより吸込グリル８が下降する。下降した吸込グリル８は、昇降用モータ５３の逆転により、シャフト４０と共に、ドラム４１、４２、４３、４４が吊紐３５、３６、３７、３８を巻き取る方向に回転することによって上昇する。また、各グリルプーリ３１、３２、３３、３４と各吊紐３４、３５、３６、３７の間には、吸込グリル８が不用意に傾いたりしないように若干の抵抗がついている。吸込グリル８が下降状態で停止したときに、この吸込グリル８からフィルタ２５が取り外されて、洗浄済み又は新しいフィルタ２５と交換可能とされる。
【００４８】
さて、前記リモートコントローラ７１Ａ又は７１Ｂは、合計六台の室内機６６及び６８の吸込グリル８を一斉に、または合計六台の室内機６６及び６８のうち、選択された室内機の吸込グリル８を個別に昇降可能とするよう構成される。また、前記リモートコントローラ７２は、合計三台の室内機７０の吸込グリル８を一斉に、または、合計三台の室内機７０のうち選択された室内機の吸込グリル８を個別に昇降可能とするよう構成される。
【００４９】
同一のグループ制御がなされる全ての室内機６６及び６８は、当該室内機６６、６８の吸込グリル８が、リモートコントローラ７１Ａ又は７１Ｂの操作により一斉又は個別に昇降動作されるときには、吸込グリル８の昇降動作以外の通常の運転（起動及び停止を含む）が強制的に停止されるよう構成される。
【００５０】
同様に、他の同一のグループ制御がなされる全ての室内機７０は、当該室内機７０の吸込グリル８が、リモートコントローラ７２の操作により一斉に又は個別に昇降動作されるときには、吸込グリル８の昇降動作以外の通常の運転（起動及び停止を含む）が強制的に停止されるよう構成される。
【００５１】
また、同一のグループ制御がなされる全ての室内機６６及び６８は、当該室内機６６、６８の吸込グリル８が、リモートコントローラ７１Ａ又は７１Ｂの操作により一斉に又は個別に昇降動作されるときには、集中制御装置６４からの運転指令の送信により誤って運転（起動）された場合であっても、吸込グリル８の昇降動作以外の通常運転（起動及び停止を含む）が強制的に停止されるよう構成される。
【００５２】
同様に、他の同一のグループ制御がなされる全ての室内機７０は、当該室内機７０の吸込グリル８が、リモートコントローラ７２の操作により一斉に又は個別に昇降動作されるときには、集中制御装置６４からの運転指令の送信により誤って運転（起動）された場合であっても、吸込グリル８の昇降動作以外の通常運転（起動及び停止を含む）が強制的に停止されるよう構成される。
【００５３】
更に、リモートコントローラ７１Ａ又は７１Ｂのいずれか一方、例えばリモートコントローラ７１Ａの操作により、当該室内機６６、６８の吸込グリル８が一斉に又は個別に昇降動作されるときには、例えばリモートコントローラ７１Ｂの操作によっても、室内機６６、６８へ運転指令が送信されないよう構成される。従って、同一のグループ制御がなされる全ての室内機６６及び６８は、リモートコントローラ７１Ａ又は７１Ｂのいずれか一方の操作により、当該室内機６６、６８の吸込グリル８が一斉に又は個別に昇降動作されるときには、例えば、リモートコントローラ７１Ａ、７１Ｂの他方の操作による、吸込グリル８の昇降動作以外の通常運転（起動及び停止を含む）が実施されないよう構成される。
【００５４】
次に、リモートコントローラ７１Ａ、７１Ｂ、７２を用いて実施される室内機６６、６８、７０における吸込グリル８の昇降動作制御を、図７を用いて説明する。
【００５５】
▲１▼リモートコントローラ７１Ａまたは７１Ｂは、フィルタ昇降ボタン８６が操作されると、表示部７９に「フィルタ昇降」を点滅させ、室内機６６及び６８に対し、吸込グリル８の昇降動作以外の通常運転を停止させる信号を送信する。
【００５６】
室内機６６及び６８に昇降可能な吸込グリル８が存在しないときには、リモートコントローラ７１Ａ、７１Ｂは、フィルタ昇降ボタン８６が操作された時に、表示部７９に「この機能はありません」を表示する。
【００５７】
同様に、リモートコントローラ７２は、フィルタ昇降ボタン８６が操作されると、表示部７９に「フィルタ昇降」を点滅させ、室内機７０に対し、吸込グリル８の昇降動作以外の通常運転を停止させる信号を送信する。
【００５８】
室内機７０に昇降可能な吸込グリル８が存在しないときには、リモートコントローラ７２は、フィルタ昇降ボタン８６が操作された時に、表示部７９に「この機能はありません」を表示する。
【００５９】
▲２▼次に、リモートコントローラ７１Ａまたは７１Ｂは、ユニット選択ボタン８４が操作された時、その操作によって選択された室内機６６、６８のアドレスコードを表示部７９に表示する。このアドレスコードは、ユニット選択ボタン８４が押圧操作されるたびに「１−１」、「１−２」、「１−３」、「２−１」、「２−２」、「２−３」、「ＡＬＬ」の如く順次表示される。
【００６０】
リモートコントローラ７１Ａ、７１Ｂは、この表示部７９に表示されたアドレスコードを有する室内機６６、６８を吸込グリル８の昇降制御の制御対象として確定する。アドレスコード「ＡＬＬ」が表示部７９に表示された時には、リモートコントローラ７１Ａ、７１Ｂは、アドレスコード「１−１」〜「２−３」までの全ての室内機６６及び６８を、吸込グリル８の昇降制御の制御対象として確定する。
【００６１】
同様に、リモートコントローラ７２は、ユニット選択ボタン８４が操作された時、その操作によって選択された室内機７０のアドレスコードを表示部７９に表示する。このアドレスコードは、ユニット選択ボタン８４が押圧操作される毎に「３−１」、「３−２」、「３−３」、「ＡＬＬ」の如く順次表示される。リモートコントローラ７２は、この表示部７９に表示されたアドレスコードを有する室内機７０を、吸込グリル８の昇降制御の制御対象として確定する。アドレスコード「ＡＬＬ」が表示部７９に表示された時には、リモートコントローラ７２は、アドレスコード「３−１」〜「３−３」までの全ての室内機７０を、吸込グリル８の昇降制御の制御対象として確定する。
【００６２】
▲３▼次に、リモートコントローラ７１Ａまたは７１Ｂは、設定温度下降ボタン８３が操作されると、アドレスコードにより選択された室内機６６、６８又は全ての室内機６６及び６８へ、当該室内機の吸込グリル８を下降させる信号を送信する。これにより、当該室内機の吸込グリル８が設定位置まで下降する。
【００６３】
同様に、リモートコントローラ７２は、設定温度下降ボタン８３が選択されると、アドレスコードにより選択された室内機７０又は全ての室内機７０へ、当該室内機の吸込グリル８を下降させる信号を送信する。これにより、当該室内機の吸込グリル８が設定位置まで下降する。
【００６４】
▲４▼次に、リモートコントローラ７１Ａまたは７１Ｂは、設定温度上昇ボタン８２が操作されると、アドレスコードにより選択された室内機６６、６８又は全ての室内機６６及び６８へ、当該室内機の吸込グリル８を上昇させる信号を送信する。これにより、当該室内機の吸込グリル８が化粧パネル７に確実に収納されるまで上昇する。
【００６５】
同様に、リモートコントローラ７２は、設定温度上昇ボタン８２が操作されると、アドレスコードにより選択された室内機７０又は全ての室内機７０へ、当該室内機の吸込グリル８を上昇させる信号を送信する。これにより、当該室内機の吸込グリル８が化粧パネル７に確実に収納されるまで上昇する。
【００６６】
▲５▼リモートコントローラ７１Ａまたは７１Ｂは、吸込グリル８の上昇又は下降動作中に、フィルタ昇降ボタン８６を除くいずれか一の操作ボタン（例えば運転・停止ボタン８０）が操作されると、吸込グリル８の昇降動作を停止させる信号を、吸込グリル８が昇降動作途中にある室内機６６、６８へ送信する。これにより、吸込グリル８の昇降動作が直ちに停止される。
【００６７】
同様に、リモートコントローラ７２は、吸込グリル８の上昇又は下降動作中に、フィルタ昇降ボタン８６を除くいずれか一の操作ボタン（例えば運転・停止ボタン８０）が操作されると、吸込グリル８の昇降動作を停止させる信号を、吸込グリル８が昇降動作途中にある室内機７０へ送信する。これにより、吸込グリル８の昇降動作が直ちに停止される。
【００６８】
▲６▼上記手順▲４▼の後、フィルタ昇降ボタン８６が操作されると、リモートコントローラ７１Ａ又は７１Ｂは、吸込グリル８の昇降動作制御を解除し、吸込グリル８の昇降動作以外の通常運転を室内機６６、６８に実行させる制御モードに復帰する。
【００６９】
同様に、上記手順▲４▼の後、フィルタ昇降ボタン８６が操作されると、リモートコントローラ７２は、吸込グリル８の昇降動作制御を解除し、吸込グリル８の昇降動作以外の通常運転を室内機７０に実行させる制御モードに復帰する。
【００７０】
▲７▼但し、リモートコントローラ７１Ａ又は７１Ｂは、吸込グリル８の昇降動作中にフィルタ昇降ボタン８６が操作された時には、吸込グリル８の昇降動作を直ちに停止させる他、吸込グリル８の昇降動作制御を解除して、吸込グリル８の昇降動作以外の通常運転を室内機６６、６８に実施させる制御モードに切り替わる。
【００７１】
同様に、リモートコントローラ７２は、吸込グリル８の昇降動作中にフィルタ昇降ボタン８６が操作された時には、吸込グリル８の昇降動作を直ちに停止させる他、吸込グリル８の昇降動作制御を解除して、吸込グリル８の昇降動作以外の通常運転を室内機７０に実行させる制御モードに切り替わる。
【００７２】
上述のように構成されたことから、上記実施の形態によれば、次の効果（１）〜（５）を奏する。
【００７３】
（１）グループ制御を実施可能とする実質的に一台のリモートコントローラ７１Ａ、７１Ｂ、７２の操作により、各室内機６６、６８、７０の吸込グリル８が一斉に又は個別に昇降可能に構成されたことから、吸込グリル８に装着されたフィルタ（不図示）を交換する必要がある室内機６６、６８、７０の吸込グリル８を昇降させる場合にも、上述の実質的に同一のリモートコントローラ７１Ａ、７１Ｂ、７２を用いれば足り、吸込グリル昇降専用の他のリモートコントローラを必要としないので、複数台の室内機６６、６８、７０における吸込グリル８の昇降動作を容易に実施できる。
【００７４】
（２）吸込グリル８を昇降させるためだけの吸込グリル昇降専用のリモートコントローラを各室内機６６、６８、７０毎に設置する必要がないので、リモートコントローラの個数を削減できる。
【００７５】
（３）同一のグループ制御がなされる室内機６６、６８、７０は、当該グループ制御に属する少なくとも一台の室内機６６、６８、７０の吸込グリル８が昇降動作されるときには、同一のグループに属する全ての室内機６６、６８、７０において吸込グリル８の昇降動作以外の通常運転が停止されるよう構成されたことから、吸込グリル８の昇降時に使用者の手等が室内機６６、６８、７０の内部のターボファン１２に巻き込まれる等の危険を確実に防止することができる。
【００７６】
（４）リモートコントローラ７１Ａ、７１Ｂ、７２は、室内機６６、６８、７０の吸込グリル８の昇降動作中に、いずれか一の操作ボタン（例えば運転・停止ボタン８０）が操作されることによって、吸込グリル８の昇降動作を直ちに停止させるよう構成されたことから、吸込グリル８の昇降動作の停止を特定の操作ボタンの操作ではなく、いずれか一の操作ボタンの操作によって実行できるので、吸込グリル８の昇降動作に伴う不具合の発生を迅速に回避できる。
【００７７】
（５）リモートコントローラ７１Ａ、７１Ｂ、７２は、室内機６６、６８、７０の吸込グリル８の昇降動作中に、フィルタ昇降ボタン８６が操作されることにより、室内機６６、６８、７０の吸込グリル８の昇降動作を停止させると共に、室内機６６、６８、７０における吸込グリル８の昇降動作以外の通常運転を実行させ得るよう構成されたことから、空気調和システム６０の試運転時やメンテナンス時に、吸込グリル８を下降させた状態で室内機６６、６８、７０を通常運転させることにより、当該室内機６６、６８、７０の運転状況を的確に判定することができる。
【００７８】
以上、本発明を上記実施の形態に基づいて説明したが、本発明はこれに限定されるものではない。
【００７９】
【発明の効果】
以上のように、本発明に係る空気調和システムによれば、複数台の室内機をグループ制御可能とする実質的に一台のリモートコントローラの操作により、上記各室内機の吸込グリルが一斉に又は個別に昇降可能に構成されたことから、複数台の室内機における吸込グリルの昇降動作を容易に実施できる。
【図面の簡単な説明】
【図１】本発明に係る空気調和システムの一実施の形態を示す系統図である。
【図２】図１の室内機を示す縦断面図である。
【図３】図２の室内機において、吸込グリルが下降した状態を示す斜視図である。
【図４】図２の室内機において、吸込グリルを省略し下方から目視して示す図である。
【図５】図２の室内機の吸込グリルと駆動系を示す斜視図である。
【図６】図１のリモートコントローラを示す正面図である。
【図７】吸込グリルの下降動作を実施させているときの図６のリモートコントローラを示す正面図である。
【符号の説明】
８  吸込グリル
６０  空気調和システム
６４  集中制御装置
６６  室内機
６８  室内機
７０  室内機
７１Ａ、７１Ｂ  リモートコントローラ
７２  リモートコントローラ
８０  運転・停止ボタン
８６  フィルタ昇降ボタン（特定の操作ボタン）
【図１】
0003935654.tif 000002
【図２】
0003935654.tif 000003
【図３】
0003935654.tif 000004
【図４】
0003935654.tif 000005
【図５】
0003935654.tif 000006
【図６】
0003935654.tif 000007
【図７】
0003935654.tif 000008